Podtech/llm-jp-corpus-v4-ja_patent huggingface dataset:
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
交換部品が着脱自在に配設される画像形成装置において、
（ａ）前記交換部品から交換部品の識別情報を取得する識別情報取得処理手段と、
（ｂ）該識別情報取得処理手段によって識別情報を取得することができない場合に、画像形成を許可する動作許可処理手段とを有することを特徴とする画像形成装置。
【請求項２】
前記動作許可処理手段は、画像形成装置の初期化処理が行われた後、所定の期間、画像形成を許可する請求項１に記載の画像形成装置。
【請求項３】
（ａ）前記交換部品に配設され、交換部品の識別情報を記憶する識別情報記憶部を有するとともに、
（ｂ）前記動作許可処理手段は、前記識別情報取得処理手段によって識別情報を取得することができた場合に、画像形成を許可する請求項２に記載の画像形成装置。
【請求項４】
前記交換部品は、現像剤を収容する現像剤収容部である請求項１〜３のいずれか１項に記載の画像形成装置。
【請求項５】
前記現像剤収容部は、インクを収容するインクタンク又はインクカートリッジである請求項４に記載の画像形成装置。
【請求項６】
交換部品が着脱自在に配設される画像形成装置において、
（ａ）前記交換部品から交換部品の識別情報を取得する識別情報取得処理手段と、
（ｂ）画像形成装置の初期化処理が行われ、所定の期間、画像形成の動作が行われた後において、前記識別情報取得処理手段によって識別情報を取得することができない場合に、画像形成の動作を制限し、前記識別情報取得処理手段によって識別情報を取得することができるようになると、画像形成の動作を許可する動作許可処理手段とを有することを特徴とする画像形成装置。
【手続補正書】
【提出日】平成20年9月1日(2008.9.1)
【手続補正１】
【補正対象書類名】特許請求の範囲
【補正対象項目名】請求項１
【補正方法】変更
【補正の内容】
【請求項１】
超音波洗浄装置に備えられた超音波振動板から照射される超音波振動の洗浄液内の音圧を測定する超音波音圧測定装置であって、
音圧検出プローブと、
該音圧検出プローブが検出した検出電圧値を入力とする電圧測定手段と、
該電圧測定手段の出力および所定のパラメータ情報から必要な計算、表示および記録を行うパソコンと、
前記音圧検出プローブの先端の温度を温度情報として検出する温度センサーと、
前記超音波洗浄装置の前記超音波振動の周波数情報および前記温度センサーによって検出された前記温度情報を前記所定のパラメータ情報として前記パソコンへ伝達する制御器と、を備え、
前記パソコンは、前記入力された超音波音圧の電圧値に対して補正と変換の計算処理を行うことにより、絶対値単位の超音波音圧測定値を表示することを特徴とした超音波音圧測定装置。
【手続補正２】
【補正対象書類名】明細書
【補正対象項目名】０００８
【補正方法】変更
【補正の内容】
【０００８】
この目的を達成するために、本発明の超音波音圧測定装置は、超音波洗浄装置に備えられた超音波振動板から照射される超音波振動の洗浄液内の音圧を測定する超音波音圧測定装置であって、
音圧検出プローブと、
該音圧検出プローブが検出した検出電圧値を入力とする電圧測定手段と、
該電圧測定手段の出力および所定のパラメータ情報から必要な計算、表示および記録を行うパソコンと、
前記音圧検出プローブの先端の温度を温度情報として検出する温度センサーと、
前記超音波洗浄装置の前記超音波振動の周波数情報および前記温度センサーによって検出された前記温度情報を前記所定のパラメータ情報として前記パソコンへ伝達する制御器と、を備え、
前記パソコンは、前記入力された超音波音圧の電圧値に対して補正と変換の計算処理を行うことにより、絶対値単位の超音波音圧測定値を表示することを特徴とした。 
更に、前記電圧測定手段はオシロスコープ又は高周波電圧計である。  
更に、前記パソコンは、前記超音波音圧測定値の時間的変化を記録し、一定時間内の変化を統計的手法にて解析する構成としたものである。
【手続補正３】
【補正対象書類名】明細書
【補正対象項目名】００１１
【補正方法】変更
【補正の内容】
【００１１】
上記本発明の実施例の超音波音圧測定装置のシステムの動作概要を説明する。  
先ず超音波洗浄装置１０での通常の洗浄動作を説明する。洗浄液供給口１５から水圧を加えられた洗浄液が供給され、洗浄液溜槽１１に洗浄液が溜められ、超音波振動体１２を形成している超音波振動素子が発振した振動を共振させる振動板を介して超音波振動が洗浄液に伝搬され、超音波振動を伴った加圧された噴射洗浄液１４がスリット１３から噴射し、この噴射洗浄液が被洗浄物１７の洗浄面に対し放射され、このことによって被洗浄物１７がスリット形状に洗浄が行われ、被洗浄物１７がＸ方向（スリット方向に直角方向）に移動することによって被洗浄物１７が面に対しての洗浄が行われ、洗浄物の全面をくまなく洗浄し、付着異物を除去する動作である。  
次に、本発明の超音波音圧測定装置の超音波音圧測定の動作を説明する。  
超音波音圧測定は、スリット１３から噴射される噴霧洗浄液１４の超音波音圧を測定するために被洗浄物１７に換え、超音波複合圧電素子等が組み込まれた音圧検出プローブ１を噴射される噴霧洗浄液１４に充て、スリット１３方向およびスリット１３と交差する方向に移動させながら超音波音圧を検出する。  
音圧検出プローブ１に有する音圧センサー（超音波複合圧電素子等）の検出電流（電圧）オシロスコープ２に入力され、ここで電圧値（Ｖｐ−ｐ）の指示値で超音波音圧波形が表示され、目視で超音波音圧波形から超音波音圧値の変化量として電圧値で読み取ることができる。同時に電圧値（Ｖｐ−ｐ）の指示値で超音波音圧波形を表わす超音波音圧波形信号がオシロスコープ２に有するＧＰＩＢインタフェースから出力されパソコンに入力される。  
パソコンは、超音波振動の周波数の所望の範囲における超音波振動の音圧値を周波数（音圧検出プローブの周波数感度）パラメータ表にし、プローブの先端の温度の所望の範囲における超音波振動の音圧値を温度（音圧検出プローブの温度感度）パラメータ表にし、必要により超音波洗浄装置の内壁形状の所望の形状種類における超音波振動の音圧値を内壁形状パラメータ表にし、および電圧値・パスカル値変換表にした各表を予めメモリに記憶しておき、この各表を用いて、入力された超音波音圧の電圧値に対して補正と変換の計算処理を行うことにより、音圧測定時の音圧プローブの周波数感度や、温度感度に起因した誤差の生じない絶対値単位の超音波音圧測定値を得て正確な出力・表示するものである。  
補正処理プログラムの処理動作により、温度パラメータ表と温度情報による補正、周波数パラメータ表と周波数情報による補正、内壁形状パラメータ表と内壁形状情報によって槽内反射による補正および水圧による補正等の各種の補正処理を行う。  
次に、絶対値換算プログラムの処理動作により、補正された超音波音圧波形信号は電圧値（Ｖｐ−ｐ）から超音波音圧値（ＳＩ単位ｋＰａ；圧力パスカル）に換算するための絶対値計算が行われ、これを記憶し、表示する。  
更に、統計処理プログラムの処理動作により、メモリに記憶された時系列の絶対値となった超音波音圧データを用いて統計処理の計算が行われ、その結果の記憶、表示が行われる。  
補正処理プログラムには、音圧検出プローブの検出された超音波音圧が超音波振動の周波数変化および温度変化に対してどのように変化するか、これを補正データとして、予め校正された周波数パラメータ表、温度パラメータ表、内壁形状パラメータ表、電圧・パスカル変換表の４つの表（テーブル）テーブルが補正・変換のために備えられている。
このようにしてスリット１３から噴射される超音波洗浄液における圧力の絶対値単位とした超音波音圧測定が行える構成とし、スリット形状全面の音圧の分布状況をパソコンの表示またはプリントにて認識し、超音波洗浄装置１０の洗浄特性が高精度にて評価される。
【手続補正書】
【提出日】平成20年7月10日(2008.7.10)
【手続補正１】
【補正対象書類名】明細書
【補正対象項目名】００１２
【補正方法】変更
【補正の内容】
【００１２】
前に記述した押さえピンに関する改良にもかかわらず、この装置は、他の問題を生じる。具体的には、ピン部材を取り換える必要が生じたる場合、ワッシャが、シャフト周囲の不便な位置に設けられているため、ワッシャを回収するためには、油圧ユニットを部分的に分解しなければならない。  また更にローラベアリングは、弧状であり、完全な円形ではないので、斜板の軸方向のスラスト力に抗するために、斜板の傾斜運動の繰り返しによって、ハウジングとクレードル斜板との間にあるローラが、所望する最適な支持位置の外へスリップしてしまうことがある。
なお関連技術が、特許文献１及び２に開示されている。
【特許文献１】米国特許明細書第５４９０４４４号
【特許文献２】米国特許明細書第６３５００６０号
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
プリンタの色値と分光データの対応関係を保持する保持手段と、
混色すべき複数の色の色データを取得する色データの取得手段と、
前記複数の色の色データをそれぞれプリンタの色値に変換する変換手段と、
前記対応関係を参照して、前記変換したプリンタの色値それぞれに対応する分光データを取得する分光データの取得手段と、
前記取得した分光データから、前記複数の色を混色した色の分光データを算出する算出手段と、
前記算出した分光データから、前記複数の色を混色した色の色値を求める手段とを有することを特徴とする画像処理装置。
【請求項２】
前記分光データの取得手段は、前記対応関係を用いる補間処理によって、前記変換したプリンタの色値に対応する分光データを取得することを特徴とする請求項1に記載された画像処理装置。
【請求項３】
プリンタの色値と分光データの対応関係をメモリに保持し、
混色すべき複数の色の色データを取得し、
前記複数の色の色データをそれぞれプリンタの色値に変換し、
前記対応関係を参照して、前記変換したプリンタの色値それぞれに対応する分光データを取得し、
前記取得した分光データから、前記複数の色を混色した色の分光データを算出し、
前記算出した分光データから、前記複数の色を混色した色の色値を求めることを特徴とする画像処理方法。
【請求項４】
画像処理装置を制御して、請求項3に記載された画像処理を実行することを特徴とするコンピュータプログラム。
【手続補正２】
【補正対象書類名】明細書
【補正対象項目名】０００１
【補正方法】変更
【補正の内容】
【０００１】
本発明は、混色を色再現する画像処理に関する。
【手続補正３】
【補正対象書類名】明細書
【補正対象項目名】０００９
【補正方法】変更
【補正の内容】
【０００９】
本発明は、混色を正確に色再現することを目的とする。
【手続補正４】
【補正対象書類名】明細書
【補正対象項目名】００１１
【補正方法】変更
【補正の内容】
【００１１】
本発明にかかる画像処理装置は、プリンタの色値と分光データの対応関係を保持する保持手段と、混色すべき複数の色の色データを取得する色データの取得手段と、前記複数の色の色データをそれぞれプリンタの色値に変換する変換手段と、前記対応関係を参照して、前記変換したプリンタの色値それぞれに対応する分光データを取得する分光データの取得手段と、前記取得した分光データから、前記複数の色を混色した色の分光データを算出する算出手段と、前記算出した分光データから、前記複数の色を混色した色の色値を求める手段とを有することを特徴とする。
【手続補正５】
【補正対象書類名】明細書
【補正対象項目名】００１２
【補正方法】変更
【補正の内容】
【００１２】
本発明にかかる画像処理方法は、プリンタの色値と分光データの対応関係をメモリの保持し、混色すべき複数の色の色データを取得し、前記複数の色の色データをそれぞれプリンタの色値に変換し、前記対応関係を参照して、前記変換したプリンタの色値それぞれに対応する分光データを取得し、前記取得した分光データから、前記複数の色を混色した色の分光データを算出し、前記算出した分光データから、前記複数の色を混色した色の色値を求めることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明によれば、混色を正確に色再現することができる。
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
動画像データと、前記動画像データ中の複数の再生位置に対応付けて記録された複数の音声データと、前記複数の再生位置と前記複数の音声データとを対応付けて管理するための管理情報とを記録媒体から再生する再生処理と、
前記動画像データにおける前記複数の再生位置にそれぞれ対応した代表画像を表示装置に表示する表示処理と、
前記表示された複数の代表画像より所望の代表画像を選択する選択処理とを有し、
前記管理情報に基づいて前記複数の音声データのうち前記選択された代表画像に対応した再生位置に対応付けられた前記音声データを検出し、前記選択された代表画像に関連した音声の再生指示に応じて前記選択された代表画像の再生位置に対応した前記音声データを再生する画像処理方法。
【請求項２】
動画像データと、前記動画像データ中の複数の再生位置に対応付けて記録された複数の音声データと、前記複数の再生位置と前記複数の音声データとを対応付けて管理するための管理情報とを記録媒体から再生する再生手段と、
前記動画像データにおける前記複数の再生位置にそれぞれ対応した代表画像を表示装置に表示する表示手段と、
前記表示された複数の代表画像より所望の代表画像を選択する選択手段と、
前記選択された代表画像に関連した音声の再生を指示する指示手段と、
前記管理情報に基づいて前記記録媒体に記録された音声データのうち前記選択された代表画像に対応した再生位置に対応付けられた音声データを検出し、前記指示手段の指示に応じて前記選択された代表画像の再生位置に対応した前記音声データを再生するよう前記再生手段を制御する制御手段とを備える画像処理装置。
【請求項３】
記録媒体に記録された動画像データ中の複数の再生位置を指定する指定手段と、
前記指定手段により指定された再生位置に対応付けて記録すべき音声データを入力する音声入力手段と、
前記動画像データにおける前記指定された複数の再生位置と前記入力された音声データを対応付けて管理するための管理情報を生成する管理情報生成手段と、
前記入力された音声データを前記記録媒体に記録する記録手段と、
前記記録媒体から前記動画像データと前記音声データを再生する再生手段と、
前記動画像データにおける前記複数の再生位置にそれぞれ対応した代表画像を表示装置に表示する表示手段と、
前記表示された複数の代表画像より所望の代表画像を選択する選択手段と、
前記選択された代表画像に関連した音声の再生を指示する指示手段と、
前記管理情報に基づいて前記記録媒体に記録された音声データのうち前記選択された代表画像に対応した再生位置に対応付けられた音声データを検出し、前記指示手段の指示に応じて前記選択された代表画像の再生位置に対応した前記音声データを再生するよう前記再生手段を制御する制御手段とを備える画像処理装置。
【請求項４】
前記制御手段は、前記動画像データの再生中に前記動画像データの再生位置が前記指定された再生位置となったことに応じて前記指定された再生位置に対応した前記音声データを前記記録媒体から再生するよう前記再生手段を制御することを特徴とする請求項２または３記載の画像処理装置。
【請求項５】
前記制御手段は、前記選択された代表画像に対応した再生位置からの再生指示に応じて、前記選択された代表画像に対応した再生位置より前記動画像データを再生するよう前記再生手段を制御することを特徴とする請求項２から４の何れか１項に記載の画像処理装置。
【請求項６】
記録媒体に記録された複数の画像データを複数のグループに分類し、前記グループに対して第１の音声データを対応付けると共に前記グループの画像データに対して第２の音声データを対応付けて前記複数のグループとその画像データを管理するためのグループ管理情報を生成し、このグループ管理情報を用いて前記記録媒体から前記画像データと前記第１の音声データ及び第２の音声データを再生する画像処理方法。
【請求項７】
前記複数の画像データより選択された画像データに関連する音声の再生指示があった場合に、前記グループ管理情報に基づいて前記選択された画像データが属するグループを検出し、前記検出したグループに対応した前記第１の音声データと、前記選択された画像データに対応した前記第２の音声データとを前記記録媒体から再生することを特徴とする請求項６記載の画像処理方法。
【請求項８】
前記複数のグループより選択されたグループに関連する音声の再生指示があった場合に、前記グループ管理情報に基づいて、前記選択されたグループに対応した前記第１の音声データを前記記録媒体から再生することを特徴とする請求項６または７記載の画像処理方法。
【請求項９】
記録媒体に記録された複数の画像データを複数のグループに分類し、前記グループに関連した第１の音声データを前記記録媒体に記録すると共に前記グループの画像データに関連した第２の音声データを前記記録媒体に記録する記録手段と、
前記グループに対して前記第１の音声データを対応付けると共に前記グループの画像データに対して前記第２の音声データを対応付け、前記複数のグループと前記複数のグループの画像データを管理するためのグループ管理情報を生成する管理情報生成手段と、
前記記録媒体から前記画像データと前記第１の音声データ及び第２の音声データを再生する再生手段と、
前記グループ管理情報に基づいて前記再生手段による前記第１の音声データ及び第２の音声データの再生動作を制御する制御手段とを備える画像処理装置。
【請求項１０】
前記複数の画像データより所望の画像データを選択する選択手段を備え、
前記制御手段は、前記グループ管理情報に基づいて前記選択された画像データが属するグループに対応した前記第１の音声データと前記選択された画像データに対応した前記第２の音声データとを検出し、前記選択された代表画像に関連した音声の再生指示に応じて前記選択された画像データが属するグループに対応した前記第１の音声データと前記選択された画像データに対応した前記第２の音声データとを前記記録媒体から再生するよう前記再生手段を制御することを特徴とする請求項９記載の画像処理装置。
【請求項１１】
前記複数の画像データの代表画像を表示する表示手段を備え、前記選択手段は前記表示手段に表示された前記複数の画像データの代表画像のうち所望の代表画像を選択することを特徴とする請求項１０記載の画像処理装置。
【手続補正書】
【提出日】平成19年12月13日(2007.12.13)
【手続補正１】
【補正対象書類名】特許請求の範囲
【補正対象項目名】請求項１
【補正方法】変更
【補正の内容】
【請求項１】
携帯機器を構成する第１筐体の両側部と第２筐体の両側部を互いにスライド係合させて、前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成するスライド機構であって、
前記第１筐体と前記第２筐体とのいずれか一方の筐体の両側部に設けられ、その長手方向に延びるガイド溝と、
前記第１筐体と前記第２筐体とのいずれか他方の筐体の両側部の一端部近傍に設けられ、弾性を付与された状態で前記ガイド溝内へ摺動可能に圧接するスライドユニットと、
該スライドユニットに取り付けられ、前記ガイド溝にスライド係合するスライド部材とを備えたことを特徴とする、携帯機器のスライド機構。
【手続補正２】
【補正対象書類名】明細書
【補正対象項目名】０００５
【補正方法】変更
【補正の内容】
【０００５】
前記の目的を達成するための本発明に係る携帯機器のスライド機構は、携帯機器を構成する第１筐体の両側部と第２筐体の両側部を互いにスライド係合させて、前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成するスライド機構であって、前記第１筐体と前記第２筐体とのいずれか一方の筐体の両側部に設けられ、その長手方向に延びるガイド溝と、前記第１筐体と前記第２筐体とのいずれか他方の筐体の両側部の一端部近傍に設けられ、弾性を付与された状態で前記ガイド溝内へ摺動可能に圧接するスライドユニットと、該スライドユニットに取り付けられ、前記ガイド溝にスライド係合するスライド部材とを備えたことを特徴とする。
【手続補正３】
【補正対象書類名】明細書
【補正対象項目名】００６８
【補正方法】変更
【補正の内容】
【００６８】
また、第２筐体３００を第１筐体２００に対してスライドさせている途中でこのスライドを停止すると、その位置に第２筐体３００を停止することができる。すなわち、第２筐体３００を第１筐体２００に対してスライドさせると、スライドユニット６のボールベアリング６３がガイド溝４内の摺動部４５に摺動しつつ圧縮コイルスプリング６５の付勢力により摺動部４５に押圧されている。このため、第２筐体３００を停止すると、ボールベアリング６３とガイド溝４の摺動部４５との接触による摩擦力によって第２筐体３００はその位置に停止する。よって、第２筐体３００を第１筐体２００に対して所望の位置に停止させることができる。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
ユーザの指示に応じて、特色の重なり色における色変換処理条件を設定する設定手段と、
前記重なり色を構成する第一の特色および第二の特色それぞれに対応する第一の分光データおよび第二の分光データを取得する取得手段と、
前記第一および第二の分光データを合成して、合成分光データを生成する合成手段と、
前記合成分光データから、前記重なり色の色値を計算する計算手段と、
前記色値に対して、前記設定された色変換処理条件に応じた色変換処理を行う色変換手段とを有することを特徴とする画像処理装置。
【請求項２】
前記設定手段は、オブジェクトの種類に対応した色変換処理条件を設定する第一の設定手段、および、前記オブジェクトの種類の優先順位を設定する第二の設定手段を有し、
前記色変換手段は、前記第一の特色のオブジェクトの種類および前記第二の特色のオブジェクトの種類に基づく色変換処理条件に応じた色変換処理を行うことを特徴とする請求項1に記載された画像処理装置。
【請求項３】
前記色変換処理条件はカラーマッチング方法を設定するものであり、前記色変換処理条件の種類として、色み優先、色差最小および鮮やかさ優先が含まれることを特徴とする請求項1または請求項2に記載された画像処理装置。
【請求項４】
ユーザの指示に応じて、特色の重なり色における色変換処理条件を設定し、
前記重なり色を構成する第一の特色および第二の特色それぞれに対応する第一の分光データおよび第二の分光データを取得し、
前記第一および第二の分光データを合成して、合成分光データを生成し、
前記合成分光データから、前記重なり色の色値を計算し、
前記色値に対して、前記設定された色変換処理条件に応じた色変換処理を行うことを特徴とする画像処理方法。
【請求項５】
画像処理装置を制御して、請求項4に記載された画像処理を実行することを特徴とするコンピュータプログラム。
【手続補正２】
【補正対象書類名】明細書
【補正対象項目名】０００１
【補正方法】変更
【補正の内容】
【０００１】
本発明は、特色およびそれらの混色領域を色再現する画像処理に関する。
【手続補正３】
【補正対象書類名】明細書
【補正対象項目名】０００８
【補正方法】変更
【補正の内容】
【０００８】
本発明は、特色の合成色を高精度に再現することを目的とする。
【手続補正４】
【補正対象書類名】明細書
【補正対象項目名】００１０
【補正方法】変更
【補正の内容】
【００１０】
本発明にかかる画像処理装置は、ユーザの指示に応じて、特色の重なり色における色変換処理条件を設定する設定手段と、前記重なり色を構成する第一の特色および第二の特色それぞれに対応する第一の分光データおよび第二の分光データを取得する取得手段と、前記第一および第二の分光データを合成して、合成分光データを生成する合成手段と、前記合成分光データから、前記重なり色の色値を計算する計算手段と、前記色値に対して、前記設定された色変換処理条件に応じた色変換処理を行う色変換手段とを有することを特徴とする。
【手続補正５】
【補正対象書類名】明細書
【補正対象項目名】００１１
【補正方法】変更
【補正の内容】
【００１１】
本発明にかかる画像処理方法は、ユーザの指示に応じて、特色の重なり色における色変換処理条件を設定し、前記重なり色を構成する第一の特色および第二の特色それぞれに対応する第一の分光データおよび第二の分光データを取得し、前記第一および第二の分光データを合成して、合成分光データを生成し、前記合成分光データから、前記重なり色の色値を計算し、前記色値に対して、前記設定された色変換処理条件に応じた色変換処理を行うことを特徴とする。
【手続補正６】
【補正対象書類名】明細書
【補正対象項目名】００１２
【補正方法】変更
【補正の内容】
【００１２】
本発明によれば、特色の合成色を高精度に再現することができる。
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
電子線源より発生した電子線を試料面上で二次元的に走査し、当該試料を透過した電子を検出する走査透過電子顕微鏡において、
当該走査透過電子顕微鏡は、ロンチグラム像を取得する機能を有し、
更に、当該走査透過電子顕微鏡は、
多極子レンズないし偏向器を含んで構成される収差補正器と、
前記ロンチグラム像を極座標変換し、当該極座標変換したロンチグラムを用いて収差係数を計測し、求めた収差係数からこれらの収差を補正するように前記収差補正器を構成する多極子レンズや偏向器の設定を算出するＣＰＵとを備えたことを特徴とする走査透過電子顕微鏡。
【請求項２】
電子線源より発生した電子線を試料面上で二次元的に走査し、当該試料を透過した電子を検出する走査透過電子顕微鏡において、
当該走査透過電子顕微鏡は、
ロンチグラム像を検出する二次元画像検出器と、
多極子レンズないし偏向器を含んで構成される収差補正器と、
対物レンズと、
前記収差補正器と対物レンズの間に配置され、前記電子線を前記試料面上で傾斜させる第１の偏向器と、
前記対物レンズ後段に配置された第２の偏向器を有し、
前記第１の偏向器と第２の偏向器とがリンクして動作することにより、前記電子線の前記試料面上での傾斜によって発生する、前記ロンチグラム像の前記二次元画像検出器に対する位置ずれを自動で補正することを特徴とする走査透過電子顕微鏡。
【請求項３】
電子線源より発生した電子線を試料面上で二次元的に走査し、当該試料を透過した電子を検出する走査透過電子顕微鏡において、
当該走査透過電子顕微鏡は、ロンチグラム像を取得する機能を有し、
更に、前記走査透過電子顕微鏡は、
多極子レンズないし偏向器を含んで構成される収差補正器と、
前記ロンチグラム像の計算像と実測の像とを比較してフィッティングする方法で収差係数を計測し、求めた収差係数からこれらの収差を補正するように各レンズや偏向器の設定を算出するＣＰＵとを備えたことを特徴とした走査透過電子顕微鏡。  
【請求項４】
請求項２に記載の走査透過電子顕微鏡装置において、
電子線が試料面上の同じ位置で完全傾斜するように前記第１の偏向器および第２の偏向器が振り戻し制御されている、もしくは励磁比が設定できることを特徴とする走査型電子顕微鏡。
【請求項５】
請求項２に記載の走査透過電子顕微鏡装置において，
ユーザーが指定した電子線の傾斜角度を入力すると、自動的にレンズ励磁が設定され、該傾斜角度が実現される機能を有する走査透過顕微鏡。
【請求項６】
請求項３に記載の走査透過顕微鏡において、
比較に用いるロンチグラム計算像をマルチスライス法を使用して算出することを特徴とする走査透過電子顕微鏡。
【請求項７】
請求項１から３のいずれか１項に記載の走査透過顕微鏡において、
収差係数の計測後、該走査透過電子顕微鏡において達成可能な分解能あるいはプローブ径が算出され、操作者が任意の分解能を選択することができることを特徴とする走査透過電子顕微鏡。
【請求項８】
請求項１から３のいずれか１項に記載の走査透過顕微鏡において、
操作者が分解能を指定すると、装置が自動で収差量の計測を行い、該分解能を達成するために必要な残留収差を算出して、各レンズ、収差補正器に必要な励磁電流あるいは印加電圧を算出、フィードバックし、該分解能を達成する機能を有することを特徴とする走査透過電子顕微鏡。
【手続補正書】
【提出日】平成19年11月1日(2007.11.1)
【手続補正１】
【補正対象書類名】明細書
【補正対象項目名】０００８
【補正方法】変更
【補正の内容】
【０００８】ガス欠を防止するための方策については、ガソリン車の場合、給油をタイムリ−にかつロスタイムなしに行う方法としては、カ−ナビゲ−ションを用いる方法が有効であり、代表例として次のような方法が提案されている。
【特許文献１】  特開平０６−１９５５９４
【特許文献２】  特開２００２−２５１４３２上記の２提案は、現在、全国で約４５、０００ケ所の既存のガソリンスタンドの存在を前提に組み立てられている。また、燃料電池車のガス欠を防止するため、タイムリ−に警報を発して水素供給スタンドまで案内するシステムとしては、次の方法が提案されている。【特許文献３】  特開２０００−２９２１９５上記の提案では、従来のガソリンスタンドの検索方法を水素供給スタンドの検索に応用した記載がなされている。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
複数の導電層を有するプリント配線板において、
配線層に形成された配線パターンと、
該配線パターンの特性インピーダンスが相対的に高い部分に、隣接して配置された第１の電源プレーン層又はグラウンドプレーン層と、
前記配線パターンの特性インピーダンスが相対的に低い部分に、隣接して配置された第２の電源プレーン層又はグラウンドプレーン層とを具備し、
前記配線パターンと前記第２の電源プレーン層又はグラウンドプレーン層の間の距離は、前記配線パターンと前記第１の電源プレーン層又はグラウンドプレーン層の間の距離よりも大きく、前記第１の電源プレーン層又はグラウンドプレーン層と、前記第２の電源プレーン層又はグラウンドプレーン層とは、前記配線パターンの直下で電気的に接続されていることを特徴とするプリント配線板。
【請求項２】
前記第１の電源プレーン層又はグラウンドプレーン層と、前記第２の電源プレーン層又はグラウンドプレーン層との間は、ビアホールで接続されていることを特徴とする請求項１に記載のプリント配線板。
【請求項３】
前記第１の電源プレーン層又はグラウンドプレーン層と、前記第２の電源プレーン層又はグラウンドプレーン層との間は、内蔵コンデンサで接続されていることを特徴とする請求項１に記載のプリント配線板。
【請求項４】
前記配線パターンは、所定の位置で複数の配線パターンに分岐しており、前記特性インピーダンスが相対的に低い部分は、前記配線パターンの分岐する前の配線パターンであり、前記特性インピーダンスが相対的に高い部分は、前記配線パターンの分岐した後の配線パターンであり、前記第１の電源プレーン層又はグラウンドプレーン層と、前記第２の電源プレーン層又はグラウンドプレーン層との接続は、前記配線パターンの分岐点の直下で行われていることを特徴とする請求項１乃至３のいずれか１項に記載のプリント配線板。
【請求項５】
前記配線パターンはコネクタに接続されており、前記特性インピーダンスが相対的に低い部分は、前記コネクタの周辺部であり、前記特性インピーダンスが相対的に高い部分は、前記コネクタの周辺部から延びた配線パターンであることを特徴とする請求項１乃至３のいずれか１項に記載のプリント配線板。
【手続補正２】
【補正対象書類名】明細書
【補正対象項目名】００１７
【補正方法】変更
【補正の内容】
【００１７】
上述した課題を解決し、目的を達成するために、本発明に係わるプリント配線板は、複数の導電層を有するプリント配線板において、配線層に形成された配線パターンと、該配線パターンの特性インピーダンスが相対的に高い部分に、隣接して配置された第１の電源プレーン層又はグラウンドプレーン層と、前記配線パターンの特性インピーダンスが相対的に低い部分に、隣接して配置された第２の電源プレーン層又はグラウンドプレーン層とを具備し、前記配線パターンと前記第２の電源プレーン層又はグラウンドプレーン層の間の距離は、前記配線パターンと前記第１の電源プレーン層又はグラウンドプレーン層の間の距離よりも大きく、前記第１の電源プレーン層又はグラウンドプレーン層と、前記第２の電源プレーン層又はグラウンドプレーン層とは、前記配線パターンの直下で電気的に接続されていることを特徴とする。
【手続補正３】
【補正対象書類名】明細書
【補正対象項目名】００１８
【補正方法】変更
【補正の内容】
【００１８】
また、この発明に係わるプリント配線板において、前記第１の電源プレーン層又はグラウンドプレーン層と、前記第２の電源プレーン層又はグラウンドプレーン層との間は、ビアホールで接続されていることを特徴とする。
【手続補正４】
【補正対象書類名】明細書
【補正対象項目名】００１９
【補正方法】変更
【補正の内容】
【００１９】
また、本発明に係わるプリント配線板において、前記第１の電源プレーン層又はグラウンドプレーン層と、前記第２の電源プレーン層又はグラウンドプレーン層との間は、内蔵コンデンサで接続されていることを特徴とする。
【手続補正５】
【補正対象書類名】明細書
【補正対象項目名】００２０
【補正方法】変更
【補正の内容】
【００２０】
また、この発明に係わるプリント配線板において、前記配線パターンは、所定の位置で複数の配線パターンに分岐しており、前記特性インピーダンスが相対的に低い部分は、前記配線パターンの分岐する前の配線パターンであり、前記特性インピーダンスが相対的に高い部分は、前記配線パターンの分岐した後の配線パターンであり、前記第１の電源プレーン層又はグラウンドプレーン層と、前記第２の電源プレーン層又はグラウンドプレーン層との接続は、前記配線パターンの分岐点の直下で行われていることを特徴とする。
また、この発明に係わるプリント配線板において、前記配線パターンはコネクタに接続されており、前記特性インピーダンスが相対的に低い部分は、前記コネクタの周辺部であり、前記特性インピーダンスが相対的に高い部分は、前記コネクタの周辺部から延びた配線パターンであることを特徴とする。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
レチクルのパターンを被処理体に投影する投影光学系を有し、前記パターンを前記被処理体に露光する露光装置であって、
前記レチクルを照明する光の偏光を第１の偏光状態から前記第１の偏光状態とは異なる第２の偏光状態に変更する変更手段と、
前記変更手段が前記光の偏光を前記第１の偏光状態から前記第２の偏光状態に変更した際に、前記投影光学系の収差を調整する調整手段とを有し、
前記調整手段は、前記投影光学系の前記レチクルからの回折光が通過する特定部分のみの収差を調整することを特徴とする露光装置。
【請求項２】
レチクルのパターンを被処理体に投影する投影光学系を有し、前記パターンを前記被処理体に露光する露光装置であって、
前記レチクルのパターンの変更を検出する検出手段と、
前記検出手段が前記レチクルのパターンを検出した際に、前記投影光学系の収差を調整する調整手段とを有し、
前記調整手段は、前記投影光学系の前記レチクルからの回折光が通過する特定部分のみの収差を調整することを特徴とする露光装置。
【請求項３】
前記調整手段は、前記レチクルのパターンの周期構造または有効光源分布に基づいて特定される前記特定部分のみの収差を調整することを特徴とする請求項１又は２記載の露光装置。
【請求項４】
前記調整手段は、前記投影光学系の瞳面上の前記レチクルからの回折光が通過する特定部分のみの収差を調整することを特徴とする請求項１乃至３のうちいずれか一項記載の露光装置。
【請求項５】
前記投影光学系の収差を測定する測定手段と、
前記測定手段の測定結果に基づいて、前記調整手段を制御する制御部とを更に有することを特徴とする請求項１乃至４のうちいずれか一項記載の露光装置。
【請求項６】
前記レチクルを照明する光の偏光状態と前記投影光学系の収差との相関関係を示す収差テーブルを格納するメモリと、
前記メモリに格納された前記収差テーブルを基に、前記調整手段を制御する制御部とを更に有することを特徴とする請求項１乃至４のうちいずれか一項記載の露光装置。
【請求項７】
レチクルのパターンを、投影光学系を介して被処理体に露光する露光方法であって、
前記レチクルのパターンを照明する光の偏光状態が変更されたことを検知するステップと、
前記光の偏光状態の変更による前記投影光学系の収差の変動を取得するステップと、
前記取得ステップで取得した取得結果を基に、前記投影光学系の収差を調整するステップとを有し、
前記調整するステップでは、前記投影光学系の前記レチクルからの回折光が通過する特定部分のみの収差を調整することを特徴とする露光方法。
【請求項８】
レチクルのパターンを、投影光学系を介して被処理体に露光する露光方法であって、
前記レチクルのパターンが変更されたことを検知するステップと、
前記レチクルのパターンの変更による前記投影光学系の収差の変動を取得するステップと、
前記取得ステップで取得した取得結果を基に、前記投影光学系の収差を調整するステップとを有し、
前記調整するステップでは、前記投影光学系の前記レチクルからの回折光が通過する特定部分のみの収差を調整することを特徴とする露光方法。
【請求項９】
請求項１乃至６のうちいずれか一項記載の露光装置を用いて被処理体を露光するステップと、
露光された前記被処理体を現像するステップとを有することを特徴とするデバイス製造方法。
【手続補正２】
【補正対象書類名】明細書
【補正対象項目名】００２０
【補正方法】変更
【補正の内容】
【００２０】
本発明は、所望のパターンが形成された物体面を照明する光の偏光状態を切り替えた場合にも、結像性能を劣化させず精度よく微細パターンを転写することができる露光装置及び方法に関する。
【手続補正３】
【補正対象書類名】明細書
【補正対象項目名】００２１
【補正方法】変更
【補正の内容】
【００２１】
本発明の一側面としての露光装置は、レチクルのパターンを被処理体に投影する投影光学系を有し、前記パターンを前記被処理体に露光する露光装置であって、前記レチクルを照明する光の偏光を第１の偏光状態から前記第１の偏光状態とは異なる第２の偏光状態に変更する変更手段と、前記変更手段が前記光の偏光を前記第１の偏光状態から前記第２の偏光状態に変更した際に、前記投影光学系の収差を調整する調整手段とを有し、前記調整手段は、前記投影光学系の前記レチクルからの回折光が通過する特定部分のみの収差を調整することを特徴とする。
【手続補正４】
【補正対象書類名】明細書
【補正対象項目名】００２２
【補正方法】変更
【補正の内容】
【００２２】
本発明の別の側面としての露光装置は、レチクルのパターンを被処理体に投影する投影光学系を有し、前記パターンを前記被処理体に露光する露光装置であって、前記レチクルのパターンの変更を検出する検出手段と、前記検出手段が前記レチクルのパターンを検出した際に、前記投影光学系の収差を調整する調整手段とを有し、前記調整手段は、前記投影光学系の前記レチクルからの回折光が通過する特定部分のみの収差を調整することを特徴とする。
【手続補正５】
【補正対象書類名】明細書
【補正対象項目名】００２３
【補正方法】変更
【補正の内容】
【００２３】
本発明の更に別の側面としての露光方法は、レチクルのパターンを、投影光学系を介して被処理体に露光する露光方法であって、前記レチクルのパターンを照明する光の偏光状態が変更されたことを検知するステップと、前記光の偏光状態の変更による前記投影光学系の収差の変動を取得するステップと、前記取得ステップで取得した取得結果を基に、前記投影光学系の収差を調整するステップとを有し、前記調整するステップでは、前記投影光学系の前記レチクルからの回折光が通過する特定部分のみの収差を調整することを特徴とする。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
レチクルのパターンを被処理体に投影する投影光学系を備え、前記投影光学系と前記被処理体との間の少なくとも一部に供給される液体を介して前記被処理体を露光する露光装置であって、
前記投影光学系及び前記液体を通過した光を受光する受光デバイスを有する受光ユニットを備え、
前記受光ユニットは、
前記受光デバイスの受光面側に配置され、前記投影光学系及び前記液体を通過した光を透過する窓材と、
前記窓材を透過した光を透過及び反射して前記受光デバイスに導く偏向手段と、を有し、
前記偏向手段は、円錐面又は曲面を持ち、その円錐面又は曲面で前記窓材を透過した光を反射することを特徴とする露光装置。
【請求項２】
前記円錐面又は曲面は、前記窓材を透過した光を全反射することを特徴とする請求項１記載の露光装置。
【請求項３】
レチクルのパターンを被処理体に投影する投影光学系を備え、前記投影光学系と前記被処理体との間の少なくとも一部に供給される液体を介して前記被処理体を露光する露光装置であって、
前記投影光学系及び前記液体を通過した光を受光するラインセンサを有する受光ユニットを備え、
前記受光ユニットは、
前記ラインセンサの受光面側に配置され、前記投影光学系及び前記液体を通過した光を透過する窓材を有し、
前記窓材の前記ラインセンサ側の面は、前記ラインセンサの複数の画素に対応して形成された複数の凹面を含み、
前記窓材の前記ラインセンサ側の面の前記複数の凹面以外の平坦部に、遮光膜が形成されていることを特徴とする露光装置。
【請求項４】
前記凹面は、円錐面又は球面であることを特徴とする請求項３記載の露光装置。
【請求項５】
前記受光ユニットの検出結果に基づいて、前記被処理体上の光量を制御する制御部を有することを特徴とする請求項１乃至４のうちいずれか一項記載の露光装置。
【請求項６】
前記受光ユニットの検出結果に基づいて、前記被処理体の位置又は前記投影光学系の結像位置を制御する制御部を有することを特徴とする請求項１乃至４のうちいずれか一項記載の露光装置。
【請求項７】
請求項１乃至６のいずれか一項記載の露光装置を用いて被処理体を露光するステップと、
露光された前記被処理体を現像するステップとを有することを特徴とするデバイス製造方法。
【手続補正２】
【補正対象書類名】明細書
【補正対象項目名】発明の名称
【補正方法】変更
【補正の内容】
【発明の名称】露光装置及びデバイス製造方法
【手続補正３】
【補正対象書類名】明細書
【補正対象項目名】００１０
【補正方法】変更
【補正の内容】
【００１０】
本発明の一側面としての露光装置は、レチクルのパターンを被処理体に投影する投影光学系を備え、前記投影光学系と前記被処理体との間の少なくとも一部に供給される液体を介して前記被処理体を露光する露光装置であって、投影光学系及び前記液体を通過した光を受光する受光デバイスを有する受光ユニットを備え、前記受光ユニットは、前記受光デバイスの受光面側に配置され、前記投影光学系及び前記液体を通過した光を透過する窓材と、前記窓材を透過した光を透過及び反射して前記受光デバイスに導く偏向手段と、を有し、前記偏向手段は、円錐面又は曲面を持ち、その円錐面又は曲面で前記窓材を透過した光を反射することを特徴とする。
【手続補正４】
【補正対象書類名】明細書
【補正対象項目名】００１１
【補正方法】変更
【補正の内容】
【００１１】
本発明の別の側面としての露光装置は、レチクルのパターンを被処理体に投影する投影光学系を備え、前記投影光学系と前記被処理体との間の少なくとも一部に供給される液体を介して前記被処理体を露光する露光装置であって、前記投影光学系及び前記液体を通過した光を受光するラインセンサを有する受光ユニットを備え、前記受光ユニットは、前記ラインセンサの受光面側に配置され、前記投影光学系及び前記液体を通過した光を透過する窓材を有し、前記窓材の前記ラインセンサ側の面は、前記ラインセンサの複数の画素に対応して形成された複数の凹面を含み、前記窓材の前記ラインセンサ側の面の前記複数の凹面以外の平坦部に、遮光膜が形成されていることを特徴とする。
【手続補正５】
【補正対象書類名】明細書
【補正対象項目名】００１２
【補正方法】削除
【補正の内容】
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により撮像された動画像を記録媒体に記録する動画像記録手段と、
前記撮像手段により撮像された静止画像を記録媒体に記録する静止画像記録手段と、
少なくとも前記静止画像記録手段により記録された静止画像に対応するサムネイル画像の一覧を表示する表示手段とを有し、
前記表示手段は、前記サムネイル画像の一覧を表示する際に、前記動画像記録手段により動画像が記録されている最中に、前記撮像手段により撮像されて記録された静止画像に対応するサムネイル画像と、前記動画像記録手段により動画像が記録されていないときに、前記撮像手段により撮像されて記録された静止画像に対応するサムネイル画像とを区別して表示することを特徴とする記録再生装置。
【請求項２】
前記静止画像記録手段は、前記動画像記録手段により動画像が記録されている最中に、前記撮像手段により撮像された静止画像と、前記動画像記録手段により動画像が記録されていないときに、前記撮像手段により撮像された静止画像とを区別して記録媒体に記録することを特徴とする請求項１に記載の記録再生装置。
【請求項３】
前記動画像の記録中に撮像された静止画像と、前記動画像の記録が行われていないときに撮像された静止画像とを区別するための文字情報を、前記静止画像のファイル名に付加する識別情報付加手段をさらに有することを特徴とする請求項１または２に記載の記録再生装置。
【請求項４】
前記撮像手段により撮像された静止画像に基づくサムネイル画像を生成するサムネイル画像生成手段と、
前記動画像の記録中に撮像された静止画像と、前記動画像の記録が行われていないときに撮像された静止画像とを区別するためのマークを、前記サムネイル画像生成手段により生成されたサムネイル画像に付加する識別情報付加手段とをさらに有することを特徴とする請求項１または２に記載の記録再生装置。
【請求項５】
前記静止画像記録手段は、前記動画像記録手段により動画像が記録されている最中に、前記撮像手段により撮像された静止画像と、前記動画像記録手段により動画像が記録されていないときに、前記撮像手段により撮像された静止画像とを別々のディレクトリ又はフォルダに格納することを特徴とする請求項１または２に記載の記録再生装置。
【請求項６】
撮像された動画像を記録媒体に記録する動画像記録ステップと、
撮像された静止画像を記録媒体に記録する静止画像記録ステップと、
少なくとも前記静止画像記録ステップにより記録された静止画像に対応するサムネイル画像の一覧を表示装置に表示する表示ステップとを有し、
前記表示ステップは、前記サムネイル画像の一覧を表示する際に、前記動画像記録ステップにより動画像が記録されている最中に撮像されて記録された静止画像に対応するサムネイル画像と、前記動画像記録ステップにより動画像が記録されていないときに撮像されて記録された静止画像に対応するサムネイル画像とを区別して表示装置に表示することを特徴とする記録再生方法。
【請求項７】
撮像された動画像を記録媒体に記録する動画像記録ステップと、
撮像された静止画像を記録媒体に記録する静止画像記録ステップと、
少なくとも前記静止画像記録ステップにより記録された静止画像に対応するサムネイル画像の一覧を表示装置に表示する表示ステップとをコンピュータに実行させ、
前記表示ステップは、前記サムネイル画像の一覧を表示する際に、前記動画像記録ステップにより動画像が記録されている最中に撮像されて記録された静止画像に対応するサムネイル画像と、前記動画像記録ステップにより動画像が記録されていないときに撮像されて記録された静止画像に対応するサムネイル画像とを区別して表示装置に表示することをコンピュータに実行させることを特徴とするコンピュータプログラム。
【手続補正２】
【補正対象書類名】明細書
【補正対象項目名】００１７
【補正方法】変更
【補正の内容】
【００１７】
本発明の記録再生装置は、撮像手段と、前記撮像手段により撮像された動画像を記録媒体に記録する動画像記録手段と、前記撮像手段により撮像された静止画像を記録媒体に記録する静止画像記録手段と、少なくとも前記静止画像記録手段により記録された静止画像に対応するサムネイル画像の一覧を表示する表示手段とを有し、前記表示手段は、前記サムネイル画像の一覧を表示する際に、前記動画像記録手段により動画像が記録されている最中に、前記撮像手段により撮像されて記録された静止画像に対応するサムネイル画像と、前記動画像記録手段により動画像が記録されていないときに、前記撮像手段により撮像されて記録された静止画像に対応するサムネイル画像とを区別して表示することを特徴とする。
【手続補正３】
【補正対象書類名】明細書
【補正対象項目名】００１８
【補正方法】変更
【補正の内容】
【００１８】
本発明の記録再生方法は、撮像された動画像を記録媒体に記録する動画像記録ステップと、撮像された静止画像を記録媒体に記録する静止画像記録ステップと、少なくとも前記静止画像記録ステップにより記録された静止画像に対応するサムネイル画像の一覧を表示装置に表示する表示ステップとを有し、前記表示ステップは、前記サムネイル画像の一覧を表示する際に、前記動画像記録ステップにより動画像が記録されている最中に撮像されて記録された静止画像に対応するサムネイル画像と、前記動画像記録ステップにより動画像が記録されていないときに撮像されて記録された静止画像に対応するサムネイル画像とを区別して表示装置に表示することを特徴とする。
【手続補正４】
【補正対象書類名】明細書
【補正対象項目名】００１９
【補正方法】変更
【補正の内容】
【００１９】
本発明のコンピュータプログラムは、撮像された動画像を記録媒体に記録する動画像記録ステップと、撮像された静止画像を記録媒体に記録する静止画像記録ステップと、少なくとも前記静止画像記録ステップにより記録された静止画像に対応するサムネイル画像の一覧を表示装置に表示する表示ステップとをコンピュータに実行させ、前記表示ステップは、前記サムネイル画像の一覧を表示する際に、前記動画像記録ステップにより動画像が記録されている最中に撮像されて記録された静止画像に対応するサムネイル画像と、前記動画像記録ステップにより動画像が記録されていないときに撮像されて記録された静止画像に対応するサムネイル画像とを区別して表示装置に表示することをコンピュータに実行させることを特徴とする。